(57)【要約】      （修正有）【課題】建築物に損傷を与え難く、かつ、安価で軽量な補強部材取付具を提供する。【解決手段】ベランダ部分の外壁１を内側および外側から挟み込むようにして固定し、外壁の上側の離れた位置で補強部材３０が取り付けられる補強部材取付具１０であって、上下方向に延在する本体部１１と、本体部の上側および下側にそれぞれ配置され、互いに逆側に向けて突出する２つのパイプ部１２ａ、１２ｂと、外壁を挟み込む下側のパイプ部１２ｂに取り付けられるキャップ１３とを備える。【選択図】図１
0003231424.tif 000002
【実用新案登録請求の範囲】
【請求項１】
ベランダ部分の外壁を内側および外側から挟み込むようにして固定し、前記外壁の上側の離れた位置で補強部材が取り付けられる補強部材取付具であって、
上下方向に延在する本体部と、
前記本体部の上側および下側にそれぞれ配置され、互いに逆側に向けて突出する２つのパイプ部と、
下側の前記パイプ部に取り付けられるキャップと
を備えたことを特徴とする補強部材取付具。
【請求項２】
２つの前記パイプ部は、前記本体部に対して点対称な位置に配置されていることを特徴とする請求項１に記載の補強部材取付具。
【請求項３】
前記キャップは、前記パイプ部に対して着脱可能に挿嵌されていることを特徴とする請求項１または請求項２に記載の補強部材取付具。
【請求項４】
前記キャップの先端部を窪ませたことを特徴とする請求項１から請求項３のいずれか１つに記載の補強部材取付具。
【考案の詳細な説明】
【技術分野】
【０００１】
本考案は、建築現場等で使用される補強部材を、建屋の外壁を用いて取り付けるための補強部材取付具に関する。
【背景技術】
【０００２】
建屋の外装を補修、メンテナンスする場合、この建屋の外周を覆うようにして作業用の足場が立設される。また、この足場を補強するために、例えば、足場から建屋のベランダ部分に向けて単管パイプなどの補強部材を延出させて、この補強部材をベランダの外壁または手摺などに固定することが行われている。
【０００３】
例えば、特許文献１の技術では、ベランダ部分の外壁を内側および外側から挟み込むようにして固定し、外壁の上側の離れた位置で補強部材が取り付けられるような取付具が開示されている。
【先行技術文献】
【特許文献】
【０００４】
【特許文献１】特開２０１２−１５４０４５号公報
【考案の概要】
【考案が解決しようとする課題】
【０００５】
特許文献１の技術では、取り付けられる補強部材が上下に移動して、ベランダの外壁の上端部に設けられた笠木と干渉することがなく、建築物に損傷を与え難いという点で優れている。しかしながら、特許文献１の技術では、取付具の構造が複雑であり、製品として高価なものである。また、その重量も重いため、取付作業に時間を要する。
【０００６】
本考案は、上述した事情を鑑みてなされたものであり、建築物に損傷を与え難く、かつ、安価で軽量な補強部材取付具を提供するためのものである。
【課題を解決するための手段】
【０００７】
上述課題を解決するため、本考案に係る補強部材取付具は、ベランダ部分の外壁を内側および外側から挟み込むようにして固定し、前記外壁の上側の離れた位置で補強部材が取り付けられるものであり、上下方向に延在する本体部と、前記本体部の上側および下側にそれぞれ配置され、互いに逆側に向けて突出する２つのパイプ部と、下側の前記パイプ部に取り付けられるキャップとを備えたことを特徴とする。
【０００８】
また、２つの前記パイプ部は、前記本体部に対して点対称な位置に配置されていてもよい。
【０００９】
さらに、前記キャップは、前記パイプ部に対して着脱可能に挿嵌されていてもよい。
【００１０】
また、前記キャップの先端部を窪ませていてもよい。
【考案の効果】
【００１１】
本考案の補強部材取付具によれば、上下方向に延在する本体部と、前記本体部の上側および下側にそれぞれ配置され、互いに逆側に向けて突出する２つのパイプ部と、下側の前記パイプ部に取り付けられるキャップとを備えているので、簡単な構成で安価に製作することができる。また、簡単な構成で軽量化を図っているので、使用時の着脱作業を効率よく行うことができる。
【図面の簡単な説明】
【００１２】
【図１】本発明の実施の形態に係る補強部材取付具を取り付けた状態を示す概要図である。
【図２】補強部材取付具の正面図である。
【図３】図２の右側面図である。
【考案を実施するための形態】
【００１３】
以下、本考案の実施形態に係る補強部材取付具１０について、詳細に説明する。なお、以下の説明で使用する、上下、内側、外側などの方向は、図１に記載した方向をいうものとする。
【００１４】
図１は、建屋のベランダの外壁１に補強部材取付具１０を固定して、足場側から延在する単管パイプ３０（補強部材）を、単管クランプ２０を用いて補強部材取付具１０に取り付けた状態を示す図である。このように取り付けられた単管パイプ３０は、振動等によって上下に振れることがなくなり、外壁１の上部に設けられた笠木１ａと接触するのを防止することができる。
【００１５】
図２は、補強部材取付具１０の正面図、図３は、図２の右側面図を示している。なお、この補強部材取付具１０は、図１に示すように、外壁１を挟んで内側と外側にそれぞれ対称に取り付けられるものであり、その構造は同一である。そのため、以下の説明では、外側に位置する補強部材取付具１０についてのみ説明する。
【００１６】
補強部材取付具１０は、図２および図３に示すように、上下方向に延びる平板状の本体部１１と、本体部１１の上下にそれぞれ配置されたパイプ部１２ａ、１２ｂと、下側のパイプ部１２ｂに取り付けられたキャップ１３とで構成されている。
【００１７】
本体部１１は、平板状の鋼板を使用したものであり、図１に示すように、平板状の２つの平面が内側および外側に向くようにして配置される。上側のパイプ部１２ａは、所謂、配管用炭素鋼鋼管などを用いたものであり、本体部１１の外側に向けて突出するように形成されている。
【００１８】
下側のパイプ部１２ｂも同様に、配管用炭素鋼鋼管などを用いたものであり、上側のパイプ部１２ａとは反対側の内側に向けて突出するように形成されている。また、２つのパイプ部１２ａ、１２ｂは、その径や突出寸法が同じ寸法であり、図２で示すＡ点（補強部材取付具１０を正面から見て本体部１１の上下方向および紙面左右方向の中点）を対称の中心とする点対称な形状になっている。また、図３に示すように、中心線Ｌに対して紙面左右対称に形成されている。これにより、Ａ点を中心に本体部１１を１８０度回転させても使用可能である。また、外壁１を挟んで内側と外側のいずれにも勝手違いを生じさせずに使用することができる。
【００１９】
本体部１１、２つのパイプ部１２ａ、１２ｂは、一般的に流通する素材を用いて構成されており、安価なコストで製作することができる。また、構造を極めて簡単にしていることで、軽量化を図っている。
【００２０】
キャップ１３は、樹脂或いはゴムなどの材料で形成されており、弾性を有している。また、キャップ１３は、摩擦係数の高い材料によって形成されており、図１に示すように、外壁１の外側面２ａ（または内側面２ｂ）に押し当てられた状態で、外壁面２ａから容易に滑り落ちないようにしている。
【００２１】
キャップ１３は、図２に示すように、下側のパイプ部１２に着脱可能に取り付けられる。より詳細には、キャップ１３の内径は、パイプ部１２ｂの外径とほぼ等しくなるように形成されており、キャップ１３をパイプ部１２ｂの内側の先端側から押し込むことで簡単に挿嵌されるようになっている。一方、キャップ１３を逆に引き抜くことで容易に取り外すことができる。このように容易に着脱できる構造にすることで、キャップ１３が損傷した場合にキャップのみを交換できるようにしている。
【００２２】
キャップ１３の内側の先端部１３ａは、図２に示すように、その頂部が外側に向けて窪んだ形状になっている。このキャップ１３の先端部１３ａは、外壁１の外側面２ａ（または内側面２ｂ）に押し当てられて、弾性変形する。これにより、外側面２ａ（または内側面２ｂ）との接触面積を広げるとともに、外壁１に損傷を与えないように緩衝する機能も果たしている。
【００２３】
上側のパイプ部１２ａには、図１に示すように、単管クランプ２０を介して足場補強用の単管パイプ３０が取り付けられる。この単管クランプ２０も一般的に使用されている自在型のクランプであり、パイプ部１２ａに対して単管パイプ３０が略平行になるように取り付けられる。
【００２４】
本考案の実施の形態に係る補強部材取付具１０では、上下方向に延在する本体部１１と、本体部１１の上側および下側にそれぞれ配置され、互いに逆側に向けて突出する２つのパイプ部１２ａ、１２ｂと、下側のパイプ部１２ｂに取り付けられるキャップ１３とを備えているので、簡単な構成で安価に製作することができる。また、簡単な構成で軽量化を図っているので、補強部材取付具１０を取り付けまたは取り外す作業を効率よく行うことができる。
【００２５】
また、２つのパイプ部１２ａ、１２ｂは、本体部１１に対して点対称な位置に配置されているので、取り付け作業時に補強部材取付具１０の上下をその都度確認して取り付ける必要がない。そのため、取付時の作業性がよい。
【００２６】
さらに、キャップ１３は、パイプ部１２ｂに対して着脱可能に挿嵌されているので、破損の状態などを確認して必要に応じて交換することができる。また、キャップ１３はパイプ部１２ｂに対して挿嵌されているだけなので、容易に着脱することができる。
【００２７】
また、キャップ１３の先端部１３ａを窪ませているので、外側面２ａ（または内側面２ｂ）との接触面積を広げるとともに、外壁１に損傷を与えないように緩衝することができる。
【００２８】
以上、本考案に係る補強部材取付具１０について述べたが、本考案は既述の実施形態に限定されるものではなく、本考案の技術思想に基づいて各種の変形および変更が可能である。
【００２９】
本実施形態の本体部１１を平板状の鋼板を用いて製作しているが、これに限定されない。例えば、一般的に流通している中空形状の角パイプなどを使用することで、軽量で安価なものを提供できるようにしてもよい。同様に、パイプ部１２ａ、１２ｂについても、軽量で安価な素材のものに置き換えて製作してもよい。
【符号の説明】
【００３０】
１  外壁
１ａ  笠木
２ａ  外側面
２ｂ  内側面
１０  補強部材取付具
１１  本体部
１２ａ、１２ｂ  パイプ部
１３  キャップ
１３ａ  先端部
２０  単管クランプ
３０  単管パイプ（補強部材）
Ａ  中心点
Ｌ  中心線
【図１】
0003231424.tif 000003
【図２】
0003231424.tif 000004
【図３】
0003231424.tif 000005